(57)【要約】【課題】ラバーシートを用いたスイッチ装置において、ラバーシートの位置決めのために設けているプリント基板の貫通孔を不要とし、プリント基板の回路パターン設計の自由度を向上させる。【解決手段】固定接点を有するスイッチ回路を備えたプリント基板の表面に、前記固定接点と隙間を空けて対向する可動接点を備えたラバーシートが配置され、該ラバーシートの表面側にスイッチ操作ノブを組みつけたフロントパネルが配置され、前記スイッチ操作ノブで前記可動接点を押圧して前記スイッチ回路が閉成されるスイッチ装置において、前記ラバーシートに位置決め用の貫通孔を穿設する一方、前記貫通孔と対向する前記フロントパネルの裏面に、前記貫通孔に内嵌する柱状リブを突設し、前記ラバーシートの貫通孔と前記フロントパネルの柱状リブとの嵌合で、ラバーシートをフロントパネルに位置決め保持している。【選択図】図２
2008098013.tif 000002
【特許請求の範囲】
【請求項１】
固定接点を有するスイッチ回路を備えたプリント基板の表面に、前記固定接点と隙間を空けて対向する可動接点を備えたラバーシートが配置され、該ラバーシートの表面側にスイッチ操作ノブを組みつけたフロントパネルが配置され、前記スイッチ操作ノブで前記可動接点を押圧して前記スイッチ回路が閉成されるスイッチ装置において、
前記ラバーシートに位置決め用の貫通孔を穿設する一方、
前記貫通孔と対向する前記フロントパネルの裏面に、前記貫通孔に内嵌する柱状リブを突設し、
前記ラバーシートの貫通孔と前記フロントパネルの柱状リブとの嵌合で、ラバーシートをフロントパネルに位置決め保持していることを特徴とするスイッチ装置。
【請求項２】
前記ラバーシートの貫通孔の周縁に前記フロントパネル側に突出する環状リブを突設し、該環状リブの中空部に前記フロントパネルの柱状リブを内嵌させてラバーシートをフロントパネルに位置決め保持している請求項１に記載のスイッチ装置。
【請求項３】
前記フロントパネルの柱状リブの高さは前記ラバーシートの環状リブの高さよりも大とし、かつ、前記柱状リブを前記ラバーシートの環状リブに内嵌した状態で該ラバーシートの裏面より突出しない高さとしている請求項１または請求項２に記載のスイッチ装置。
【請求項４】
自動車のインストルメントパネルに取り付けられる請求項１乃至請求項３のいずれか１項に記載のスイッチ装置。
【請求項５】
請求項１乃至請求項４のいずれか１項に記載のスイッチ装置の製造方法であって、
前記スイッチ操作ノブが予め組み付けられたフロントパネルの裏面に設けた柱状リブを前記ラバーシートの貫通孔に内嵌させて、前記フロントパネルの裏面に前記ラバーシートを組み付けた後、該ラバーシートの裏面側に前記プリント基板と該プリント基板の裏面側を被うリアカバーを順次積層して組み付けていることを特徴とするスイッチ装置の製造方法。
【発明の詳細な説明】
【技術分野】
【０００１】
本発明は、スイッチ装置および該スイッチ装置の製造方法に関し、特に、自動車のインストルメントパネルに取り付けられて、オーディオ機器や空調機器等の操作用として用いられるものである。
【背景技術】
【０００２】
従来、所要の機器を操作するためのスイッチ装置として、特開２０００−２７６９８２号公報（特許文献１）において、図５に示すラバーシート２を用いたラバースイッチ１が提供されている。該ラバースイッチ１は、プリント基板３のスイッチ回路に設けた固定接点３ａと隙間をあけて対向する可動接点２ａをラバーシート２に設けており、スイッチ操作ノブ４で可動接点２ａを押圧して、該可動接点２ａと固定接点３ａを接触させることによりスイッチ回路を閉成する構成としている。
これらラバーシート２とプリント基板３との位置決めは、ラバーシート２のリブ２ｂをプリント基板３の貫通孔３ｂに嵌合させることにより行っている。よって、ラバーシート２とプリント基板３を位置決めするためにプリント基板３に位置決め用の貫通孔３ｂを設けなければならず、該貫通孔３ｂによりプリント基板３の回路パターンが制約を受けてしまう問題がある。
【０００３】
【特許文献１】特開２０００−２７６９８２号公報
【発明の開示】
【発明が解決しようとする課題】
【０００４】
本発明は前記問題に鑑みてなされたものであり、ラバーシートを用いたスイッチ装置において、ラバーシートの位置決めのために設けているプリント基板の貫通孔を不要とし、プリント基板の回路パターン設計の自由度を向上させることを課題としている。
【課題を解決するための手段】
【０００５】
前記課題を解決するため、本発明は、第１に、固定接点を有するスイッチ回路を備えたプリント基板の表面に、前記固定接点と隙間を空けて対向する可動接点を備えたラバーシートが配置され、該ラバーシートの表面側にスイッチ操作ノブを組みつけたフロントパネルが配置され、前記スイッチ操作ノブで前記可動接点を押圧して前記スイッチ回路が閉成されるスイッチ装置において、
前記ラバーシートに位置決め用の貫通孔を穿設する一方、
前記貫通孔と対向する前記フロントパネルの裏面に、前記貫通孔に内嵌する柱状リブを突設し、
前記ラバーシートの貫通孔と前記フロントパネルの柱状リブとの嵌合で、ラバーシートをフロントパネルに位置決め保持していることを特徴とするスイッチ装置を提供している。
【０００６】
本発明のスイッチ装置では、ラバーシートをフロントパネルに位置決めして、該フロントパネルにプリント基板を組み付ける構成としているため、プリント基板にラバーシートを位置決めするための貫通孔が不要となり、プリント基板の回路パターン設計の自由度を向上させることができる。
【０００７】
また、前記ラバーシートの貫通孔の周縁に前記フロントパネル側に突出する環状リブを突設し、該環状リブの中空部に前記フロントパネルの柱状リブを内嵌させてラバーシートをフロントパネルに位置決め保持していることが好ましい。
さらに、前記フロントパネルの柱状リブの高さは前記ラバーシートの環状リブの高さよりも大とし、かつ、前記柱状リブを前記ラバーシートの環状リブに内嵌した状態で該ラバーシートの裏面より突出しない高さとしていることが好ましい。
【０００８】
前記構成によれば、ラバーシートの環状リブの中空部にフロントパネルの柱状リブを内嵌させて、柱状リブの挿入量を大としているため、ラバーシートとフロントパネルとの位置決め保持力を向上させることができる。
また、フロントパネルの柱状リブがラバーシートの環状リブの中空部に内嵌されず、柱状リブと環状リブとが干渉した状態となると、この干渉位置においてラバーシートが裏面側に大きく突出して裏面が曲面となるため、目視によりラバーシートとフロントパネルが適切に位置決めされていないことを容易に判別することができる。
さらに、前記ラバーシートに環状リブを設けておくと、環状リブ内にフロントパネルの柱状リブが挿入されたときに環状リブが外方に撓むため、環状リブ内に柱状リブを容易に挿入することができる。
【０００９】
前記フロントパネルにラバーシートを位置決めして組みつけた状態で、ラバーシートの裏面に前記プリント基板を配置すると、これらフロントパネル、ラバーシートおよびプリント基板の外縁に沿って設けたボルト挿通部が連通され、ボルト締めで一体的に固定されていることが好ましい。
【００１０】
前記構成によれば、プリント基板とフロントパネルを組み付ける際には、予め互いに位置決め保持されたラバーシートとプリント基板をフロントパネルに組み付けるのではなく、プリント基板単体をラバーシートが位置決め保持されたフロントパネルに組み付けるため、組み付け作業を容易にすることができる。
【００１１】
本発明のスイッチ装置は、自動車のインストルメントパネルに取り付けられて、オーディオ機器や空調機器等の操作用として好適に用いられる。
【００１２】
また、本発明は、第２に、前記スイッチ装置の製造方法であって、
前記スイッチ操作ノブが予め組み付けられたフロントパネルの裏面に設けた柱状リブを前記ラバーシートの貫通孔に内嵌させて、前記フロントパネルの裏面に前記ラバーシートを組み付けた後、該ラバーシートの裏面側に前記プリント基板と該プリント基板の裏面側を被うリアカバーを順次積層して組み付けていることを特徴とするスイッチ装置の製造方法を提供している。
【００１３】
前記従来例のように、ラバーシートをプリント基板に位置決めして組み付ける場合には、ラバーシートとプリント基板を組み付ける工程とこれら組み付けたラバーシートとプリント基板をフロントパネルに組み付ける工程が別工程となるため、組み付け工程が複雑になる問題がある。
しかしながら、本発明の製造方法によれば、フロントパネルの裏面にラバーシートとプリント基板を順次位置決めして組み付けるため、これら組付作業を単一の工程で行うことができ、組み付け工程を簡単にすることができる。
【発明の効果】
【００１４】
前述したように、本発明によれば、ラバーシートをフロントパネルに位置決めして、該フロントパネルにプリント基板を組み付ける構成としているため、プリント基板にラバーシートを位置決めするための貫通孔が不要となり、プリント基板の回路パターン設計の自由度を向上させることができる。
また、プリント基板単体をラバーシートが位置決め保持されたフロントパネルに組み付けるため、組み付け作業を容易にすることができ、かつ、フロントパネルへのラバーシートとプリント基板の組み付けを単一の工程でできるため、組み付け工程を簡単にすることができる。
【発明を実施するための最良の形態】
【００１５】
本発明の実施形態を図面を参照して説明する。
図１乃至図４は、本発明の実施形態を示し、スイッチ装置１０は、自動車のインストルメントパネルに取り付けられるものであって、オーディオ機器や空調機器等を操作するものである。
【００１６】
スイッチ装置１０は、図１に示すように、スイッチ操作ノブ１５を組み付けると共に表面が意匠面となるフロントパネル１１と、該フロントパネル１１の裏面側に配置されるラバーシート１２と、該ラバーシートの裏面側に配置されるプリント基板１３と、該プリント基板１３の裏面を覆うリアカバー１４とを備えている。
【００１７】
図１及び図２に示すように、前記プリント基板１３の表面にスイッチ回路中の固定接点１３ａ、１３ｂを設ける一方、ラバーシート１２には、プリント基板１３の固定接点１３ａ、１３ｂと対向する位置に周囲の薄肉部１２ａで基板部１２ｂに連結された可動部１２ｃを設けている。該可動部１２ｃの裏側端面には導体からなる可動接点１２ｄを設けている一方、表側端面はフロントパネル１１に組み付けたスイッチ操作ノブ１５から裏面側に突出する押圧部１５ａの先端面と当接させている。
スイッチ操作ノブ１５を操作しない通常時には、プリント基板１３の固定接点１３ａ、１３ｂとラバーシート１２の可動接点１２ｄとの間に隙間が設けられており、固定接点１３ａと１３ｂは非導通で、スイッチ回路は開状態となっている。一方、スイッチ操作ノブ１５を押して操作すると、ラバーシート１２の可動部１２ｃがプリント基板１３側に押圧され、可動部１２ｃの可動接点１２ｄが固定接点１３ａ、１３ｂに当接し、固定接点１３ａと１３ｂが可動接点１２ｄを介して導通し、スイッチ回路が閉成される構成としている。
【００１８】
前記ラバーシート１２には、前記プリント基板１３の固定接点１３ａ、１３ｂとラバーシート１２の可動接点部１２ｄに近接する位置に複数の位置決め用の貫通孔１２ｅを穿設している。該貫通孔１２ｅは円形状とし、貫通孔１２ｅの表面側周縁にはフロントパネル１１側に突出する円環形状の環状リブ１２ｆを突設している。一方、フロントパネル１１の裏面には、ラバーシート１２の貫通孔１２ｅと対向する位置に円柱状の柱状リブ１１ａをラバーシート１２側に向けて突設している。
ラバーシート１２の環状リブ１２ｆの中空部と貫通孔１２ｅにフロントパネル１１の柱状リブ１１ａを内嵌させて、ラバーシート１２をフロントパネル１１に位置決め保持しており、フロントパネル１１の柱状リブ１１ａの高さをラバーシート１２の環状リブ１２ｆの高さよりも大とし、かつ、柱状リブ１１ａをラバーシート１１の環状リブ１２ｆに内嵌した状態で該ラバーシート１２の裏面より突出しない高さとしている。
【００１９】
次に、スイッチ装置１０の製造方法について説明する。
まず、図３（Ｂ）に示すように、ラバーシート１２の連通する環状リブ１２ｆの中空部と貫通孔１２ｅにフロントパネル１１の柱状リブ１１ａを内嵌させて、フロントパネル１１の裏面にラバーシート１２を位置決めして組み付ける。
次いで、図３（Ｃ）に示すように、ラバーシート１２の裏面にプリント基板１３を配置し、フロントパネル１１、ラバーシート１２及びプリント基板１３の外縁に沿って設けたボルト挿通部（図示せず）を連通させ、これらボルト挿通部にボルトを通して、フロントパネル１１、ラバーシート１２及びプリント基板１３を一体的にボルト締め固定する。
最後に、プリント基板１３の裏面側にリアカバー１４を被せ、該リアカバー１４をフロントパネル１１にロック結合して組み付ける。
【００２０】
前記構成によれば、ラバーシート１２をフロントパネル１１に位置決めして、該フロントパネル１１にプリント基板１３を組み付ける構成としているため、プリント基板１３にラバーシート１２を位置決めするための貫通孔が不要となり、プリント基板１３の回路パターン設計の自由度を向上させることができる。
また、プリント基板１３とフロントパネル１１を組み付ける際には、プリント基板１３単体をラバーシート１２が位置決め保持されたフロントパネル１２に組み付けるため、組み付け作業を容易にすることができる。かつ、フロントパネル１１へのラバーシート１２とプリント基板１３の組み付けを同一工程で行うことができ、製造工程を簡単にすることができる。
【００２１】
さらに、ラバーシート１２の環状リブ１２ｆの中空部にフロントパネル１１の柱状リブ１１ａを内嵌させて、柱状リブ１１ａの挿入量を大としているため、ラバーシート１２とフロントパネル１１との位置決め保持力を向上させることができる。
さらにまた、図４に示すように、フロントパネル１１の柱状リブ１１ａがラバーシート１２の環状リブ１２ｆの中空部に内嵌されず、柱状リブ１１ａと環状リブ１２ｆとが干渉した状態となると、この干渉位置においてラバーシート１２が裏面側に大きく突出した状態となるため、ラバーシート１２とフロントパネル１１が適切に位置決めされていないことを容易に判別することができる。
また、フロントパネル１１とラバーシート１２の位置決め構造をラバーシート１２とプリント基板１３の接点に近接する位置に設けているため、該接点に近接する位置でラバーシートがフロントパネルに位置決め保持され、スイッチ操作によるスイッチ回路の開閉を確実に行うことができる。
なお、本実施形態では、ラバーシート１２の貫通孔１２ｅを円形状、環状リブ１２ｆを円環形状、フロントパネル１１の柱状リブ１１ａを円柱状としているが、貫通孔１２ｅを四角形状、環状リブ１２ｆを四角筒状、柱状リブ１１ａを四角柱状としてもよい。
【図面の簡単な説明】
【００２２】
【図１】本発明の実施形態のスイッチ装置の分解斜視図である。
【図２】フロントパネルとラバーシートの位置決め構造を示す断面図である。
【図３】（Ａ）〜（Ｃ）はスイッチ装置の製造方法を示す図面である。
【図４】フロントパネルの柱状リブとラバーシートの環状リブが干渉している状態を示す図面である。
【図５】従来例を示す図面である。
【符号の説明】
【００２３】
１０  スイッチ装置
１１  フロントパネル
１１ａ  柱状リブ
１２  ラバーシート
１２ｄ  可動接点
１２ｅ  位置決め用の貫通孔
１２ｆ  環状リブ
１３  プリント基板
１３ａ、１３ｂ  固定接点
【図１】
2008098013.tif 000003
【図２】
2008098013.tif 000004
【図３】
2008098013.tif 000005
【図４】
2008098013.tif 000006
【図５】
2008098013.tif 000007